(57)【要約】  【課題】本発明は、不要となった書類等の用紙を断裁するに際して断裁機構まで当該用紙を供給するための断裁用紙供給装置に関し、常に一定量の用紙を供給することを可能とし、ジャミング発生においても装置を停止させずに断裁効率の低下を防止することを目的とする。  【解決手段】リフタ１４で上昇および適宜下降を交えて供給位置に送られた所定量の用紙２８を断裁装置（１６，１７）の供給口まで用紙供給押し出し機構１２により押出部１３Ａ，１３Ｂで押し出させて供給するもので、当該押出部１３Ａ，１３Ｂは軸２６を回動中心として用紙接触部分が上方に回動自在とさせる構成とする。  【選択図】  図１
2005289530.tif 000002
【特許請求の範囲】
【請求項１】
断裁機構を備えると共に、適宜断裁機構までの搬送手段を備える断裁装置の供給口に、所定量で纏まった用紙を供給する断裁用紙供給装置であって、
所定量の前記用紙が積み重ねられ、当該用紙を所定量ずつ上昇させて供給位置に送り出す用紙送り手段と、
前記供給位置の所定量の用紙を前記断裁装置の供給口に押し出して供給するもので、当該用紙の接触部分が上方に回動自在な押出部と、
前記押出部を、前記用紙を押し出すための初期位置と前記断裁装置の供給口との間で移動させる押出駆動手段と、
少なくとも、前記用紙を供給位置に所定量ずつ送るために前記用紙送り手段を制御すると共に、当該供給位置の用紙を前記押出部で押し出させるために前記押出駆動手段を制御する制御処理手段と、
を有することを特徴とする断裁用紙供給装置。
【請求項２】
請求項１記載の断裁用紙供給装置であって、前記制御処理手段は、前記用紙送り手段に対して、前記用紙を所定量ずつ上昇させて前記供給位置に送り出させ、前記押出部で押し出させた後に所定時間下降させるべく制御することを特徴とする断裁用紙供給装置。
【発明の詳細な説明】
【技術分野】
【０００１】
本発明は、不要となった書類等の用紙を断裁するに際して断裁機構まで当該用紙を供給するための断裁用紙供給装置に関する。
【背景技術】
【０００２】
近年、書類等の電子ファイル化が進む中で、未だ用紙の消費も多く、不要となった書類をそのまま廃棄できない内容のものは断裁することによって判読不能状態とすることが行われ、そのための断裁装置も種々出現している。その中で、数十枚から数百枚を一度に断裁する性能のものや、人手によらず自動的に行うものまで出現している。これら断裁装置のうち、連続印刷対象のジグザグ折りされたような連続用紙はジャミングを発生しやすいことから当該連続用紙を対象としたものがなく、人手によって枚葉状態とすることが行われることから、連続用紙であっても自動的に断裁機構まで用紙供給できることが望まれている。この場合、ジャミング発生で装置が停止すると効率を低下させることとなることから、ジャミングが発生しても連続的に断裁刃まで用紙供給できることが望まれている。
【０００３】
従来、不要用紙を所定枚数毎に断裁する断裁装置において、給紙装置を備えたものとして以下の特許文献に開示されている。
【０００４】
【特許文献１】特開平６−１５１９２号公報
【０００５】
ここで、図９に、従来の用紙断裁装置における給紙装置の構成説明図を示す。図９は、上記特許文献に開示されている給紙装置を示したものである。図９において、給紙装置１０１は、書類１０２がセットされた給紙台１０３が所定量持ち上げたときに送り出し機構の送りベルト１０４に取り付けられた送り出し部材１０５Ａ，１０５Ｂが回転し、当該送り出し部材１０５Ａ，１０５Ｂで持ち上げられた所定枚数ごとの書類１０２をシュータ１０６内に送り出して裁断部１０７に供給するというものである。
【発明の開示】
【発明が解決しようとする課題】
【０００６】
しかしながら、上記給紙装置１０１では、ジグザグ折りされた連続用紙に適用しようとすると、１回分の所定量給紙と次の所定量給紙とは連続した状態であることから常に一定量を送り出すことが困難であるという問題がある。また、シュータ１０６入り口部分でジャミングが生じた場合には、送り出し部材１０５が送りベルト１０４に固定されていることから当該ジャミング箇所で咬み合って止まった状態となり、結局は装置停止に陥り、効率低下を招くという問題がある。
【０００７】
そこで、本発明は上記課題に鑑みなされたもので、常に一定量の用紙を供給することを可能とし、ジャミング発生においても装置を停止させずに断裁効率の低下を防止する断裁用紙供給装置を提供することを目的とする。
【課題を解決するための手段】
【０００８】
上記課題を解決するために、請求項１の発明では、断裁機構を備えると共に、適宜断裁機構までの搬送手段を備える断裁装置の供給口に、所定量で纏まった用紙を供給する断裁用紙供給装置であって、所定量の前記用紙が積み重ねられ、当該用紙を所定量ずつ上昇させて供給位置に送り出す用紙送り手段と、前記供給位置の所定量の用紙を前記断裁装置の供給口に押し出して供給するもので、当該用紙の接触部分が上方に回動自在な押出部と、前記押出部を、前記用紙を押し出すための初期位置と前記断裁装置の供給口との間で移動させる押出駆動手段と、少なくとも、前記用紙を供給位置に所定量ずつ送るために前記用紙送り手段を制御すると共に、当該供給位置の用紙を前記押出部で押し出させるために前記押出駆動手段を制御する制御処理手段と、を有する構成とする。
【０００９】
請求項２の発明では、前記制御処理手段は、前記用紙送り手段に対して、前記用紙を所定量ずつ上昇させて前記供給位置に送り出させ、前記押出部で押し出させた後に所定時間下降させるべく制御する構成である。
【発明の効果】
【００１０】
本発明によれば、用紙送り手段で上昇および適宜下降を交えて供給位置に送られた所定量の用紙を断裁装置の供給口まで押出部で押し出させて供給するもので、当該押出部が用紙の接触部分で上方に回動自在とさせることにより、連続用紙であっても常に一定量の用紙を供給することができ、押出部による押し出し時に用紙ジャミングが生じても当該押出部が上方に回動してジャミング部分との接触が回避されることから装置を停止させることなく断裁効率の低下を防止することができるものである。
【発明を実施するための最良の形態】
【００１１】
以下、本発明の最良の実施形態を図により説明する。本実施形態では、断裁対象の用紙を連続用紙として説明するが、枚葉のものであっても同様である。
【００１２】
図１に、本発明に係る断裁用紙供給装置の構成図を示す。図１において、断裁用紙供給装置１１は、上方に押出駆動手段である用紙供給押出機構１２を備え、これにより移動される押出部１３Ａ，１３Ｂが設けられる。この押出部１３Ａ，１３Ｂについては図２で説明する。当該押出部１３Ａ，１３Ｂが配置される下方には用紙セット部１４が設けられ、当該用紙セット部１４に用紙送り手段であるリフタ１５が備えられる。
【００１３】
上記用紙セット部１４は、用紙の押し出し方向側に用紙規制としての規制側部１４Ａが設けられ、当該規制側部１４Ａの上端部分が断裁する用紙の供給位置の下端となり、これより押し出し方向に後述の搬送手段１８の供給口まで押出台１４Ｂが延出される。また、適宜、用紙セット部１４の近傍には制御処理手段１６が配置される。そして、用紙セット部１４における供給位置には、例えば透過式のセンサ１７が配置される。
【００１４】
また、搬送手段１８は、例えば搬送ベルトを駆動モータ等で回転させるもので、上記供給口の反対側には断裁機構１９が配置されるものである。搬送手段１８および断裁機構１９が断裁装置であり、これに本発明の断裁用紙供給装置１１が組み込まれた形態として適用されるものである。なお、搬送手段１８が断裁装置側に備えられていない場合には、断裁機構１９に連結させるものとして断裁用紙供給装置１１に設けてもよい。
【００１５】
上記用紙供給押出機構１２は、上記押出部１３Ａ，１３Ｂを、用紙を押し出すための初期位置（図１の状態）と断裁装置（搬送手段１８）の供給口との間で移動させるもので、例えば、上記押出部１３Ａ，１３Ｂの移動距離に応じて対向して用紙押出駆動モータ２１Ａ，２１Ｂが配置され、この間に例えば駆動ベルト２２が架設されると共に、当該駆動ベルト２２に駆動伝達部２２Ａが設けられる。また、上記駆動ベルト２２と平行してガイドバー２３Ａ，２３Ｂが架設され、当該ガイドバー２３Ａ，２３Ｂに保持部２４の所定数の係合部２５が係合される。この保持部２４は上記駆動伝達部２２Ａと固定される。そして、上記保持部２４の一端側（押し出し方向に対して奥側）に軸２６により押出部１３Ａ，１３Ｂが回動自在に取り付けられる（図２で説明する）。
【００１６】
一方、リフタ１５には、上下動のためのリフトモータ２７を備えるもので、所定量の用紙２８が積み重ねられ、制御処理手段１６の制御によって当該用紙２８を所定量ずつ上昇させて供給位置に送り出すものである。そして、制御処理手段１６は、当該断裁用紙供給装置１１を統括的に制御するものとして、少なくとも、用紙２８を供給位置に所定量ずつ送るためにリフタ１５（リフタモータ２７）を制御すると共に、当該供給位置の用紙（２８Ａ）を押出部１３Ａ，１３Ｂで押し出させるために用紙供給押出機構１２を制御するものである。なお、ここでは図示しないが、上記用紙２８の供給位置には、押出部１３Ａ，１３Ｂの初期位置部分から押出台１４Ｂにかけて用紙押え部が設けられるものであるが、これについては図３で説明する。
【００１７】
ここで、図２に図１における押出部の説明図を示すと共に、図３に本願発明に係る断裁用紙供給装置における用紙押え部の説明図を示す。図２（Ａ）は押出部１３Ａ，１３Ｂの正面概略図、図２（Ｂ）は下方からの斜視説明図、図３（Ａ）は用紙押え部の平面説明図、図３（Ｂ）は用紙押え部の正面概略図である。図２（Ａ）、（Ｂ）において、押出部１３Ａ，１３Ｂが取り付けられる保持部２４に設けられた係合部２５がガイドバー２３Ａ，２３Ｂに係合されるもので、当該押出部１３Ａ，１３Ｂは、供給位置の所定量の用紙（２８Ａ）を断裁装置（搬送手段１８）の供給口に押し出して供給するものとして、軸２６により用紙接触部分が上方に回動自在に取り付けられるものである。
【００１８】
例えば、後述の図６で説明するように、用紙押し出しの際にジャミングが生じた場合に発生するジャム塊が押出部１３Ａ，１３Ｂの用紙接触部分に対して上方に力が与えられて軸２６を支点に上方に回動するもので、当該ジャム塊の生じていない部分で自然的に元に戻るものである。これは、押出部１３Ａ，１３Ｂの用紙接触部分より回動支点が後方にあることから、押し出し力があっても回動によって当該ジャム塊で咬み合って固定状態とはならない。
【００１９】
また、図３（Ａ）、（Ｂ）において、上記用紙２８の供給位置には、押出部１３Ａ，１３Ｂの初期位置部分から押出台１４Ｂにかけて用紙押え部３１Ａ，３１Ｂが設けられるもので、図に示すように押出部１３Ａ，１３Ｂの初期位置部分側で片側固定されてバネ機能を有するものである。すなわち、用紙２８が押出台１４Ｂの面より所定の高さ（例えば約２０ｍｍ）まで送られてくることで供給状態とされたときに、当該用紙２８にバタツキを生じさせないように用紙押え部３１Ａ，３１Ｂのバネ機能で押さえつけるものである。
【００２０】
そこで、図４に本発明の断裁用紙供給装置における用紙供給のフローチャートを示すと共に、図５に本発明の断裁用紙供給装置における用紙供給の動作説明図を示す。図４において、用紙セット部１４のリフタ１５上に所定量の連続された用紙２８がセットされると、まず、押出部１３Ａ，１３Ｂを初期位置（図１の位置）とさせるもので、何れかに位置されていれば用紙押出駆動モータ２１Ａ，２１Ｂを駆動させて移動させる（ステップ（Ｓ）１）。
【００２１】
そこで、リフタ１５を上昇させていき（Ｓ２、図５（Ａ））、センサ１７において用紙２８が検知されると（Ｓ３）、センサ検知より設定時間分でリフタ１５を上昇させる（Ｓ４、図５（Ｂ））。上記設定時間とは、上述のように、用紙２８を押出台１４Ｂの面より所定の高さ（例えば約２０ｍｍ）とさせるためのセンサ検知からのリフタ上昇時間（例えば約１秒）であり、制御処理手段１６に予め設定されるものである。
【００２２】
続いて、上記センサ１７による用紙２８の検知より設定時間後に、用紙押出駆動モータ２１Ａ，２１Ｂを送り駆動して押出部１３Ａ，１３Ｂを断裁装置（搬送手段１８）の供給口まで１ストローク分の設定時間（例えば約２秒）で送り移動させる（Ｓ５、図５（Ｃ）、（Ｄ））。このとき、押出台１４Ｂの面より高い分の所定量毎（高さが約２０ｍｍ）の量用紙２８Ａが押出部１３Ａ，１３Ｂにより押出台１４Ｂ上を送り移動されて断裁装置（搬送手段１８）の供給口まで送られる。この場合、送り出される量用紙２８Ａとセットされた用紙２８とは押出台１４Ｂの角部分で切断される場合が多い。
【００２３】
そして、上記押出部１３Ａ，１３Ｂの送り移動設定時間後に、設定時間（例えば約２秒）で戻り移動させる（Ｓ６、図５（Ｅ））。そこで、上記センサ検知後における前回（ここでは上記Ｓ４）の設定時間（約１秒）によるリフタ１５を上昇させた後の、設定時間分の間隔（例えば約４秒）で当該リフタ１５を設置時間（約１秒）で上昇させることで用紙２８を押出台１４Ｂの面より所定の高さ（例えば約２０ｍｍ）とさせて次の量用紙２８Ａとさせる（Ｓ７、図５（Ｆ））。そして、用紙供給全部に応じた設定時間が終了するまで、上記Ｓ５〜Ｓ７が繰り返され（Ｓ８）、設定時間が終了した時点でリフタ１５を用紙セット位置まで下降させるものである（Ｓ９）。
【００２４】
ここで、図６に、本発明の断裁用紙供給装置における用紙供給のジャミング時の動作説明図を示す。図６（Ａ）において、押出部１３Ａ，１３Ｂによる量用紙２８Ａが押出台１４Ｂ上に送り出される際、当該量用紙２８Ａの最下紙またはリフタ１５上の用紙２８の最上紙が、図６（Ｂ）に示すように、ジャミングによりジャム塊２９となると、当該ジャム塊２９が押出部１３Ａ，１３Ｂの用紙接触部分に対して上方に力を加えることによって当該押出部１３Ａ，１３Ｂを軸２６を支点に上方に回動させる（図６（Ｃ））。
【００２５】
上記上方に回動した押出部１３Ａ，１３Ｂは、そのままの状態で送り移動の最終地点まで移動され、初期位置まで戻り移動される。この場合、当該押出部１３Ａ，１３Ｂは上記のように上方に回動自在であることから障害物があっても回動によって問題なく初期位置に戻ることができる。そして、図６（Ｄ）に示すように、ジャム塊２９が供給位置に残っている場合には、リフタ１５による次の量用紙２８Ｂが供給位置に送られることで当該量用紙２８Ｂの一部に量用紙２８Ａの一部が乗った状態となる。
【００２６】
そして、図６（Ｅ）に示すように、押出部１３Ａ，１３Ｂが量用紙２８Ｂを押出台１４Ｂ上に押し出すと量用紙２８Ａも共に押し出されることとなるもので、このまま断裁装置（搬送手段１８）の供給口まで押し出すものである。一方、ジャム塊２９が供給位置に残っていない場合には、前の量用紙２８Ａと次の量用紙２８Ｂとが連なった状態で押し出されることとなる。したがって、ジャミングによりジャム塊２９が発生しても押出部１３Ａ，１３Ｂが上方に回動することから装置停止を招くことがないものである。
【００２７】
上記図４および図５の説明のように、断裁対象が連続用紙であっても常に一定量の量用紙２８Ａを供給することができ、図６の説明のように、押出部１３Ａ，１３Ｂによる押し出し時に用紙ジャミングが生じても当該押出部１３Ａ，１３Ｂが上方に回動してジャム塊２９との接触が回避されることから装置を停止させることなく断裁効率の低下を防止することができるものである。
【００２８】
ところで、上記用紙供給において、押出部１３Ａ，１３Ｂおよびリフタ１５の駆動を設定時間で制御した場合を示したが、例えば押出部１３Ａ，１３Ｂの位置（初期位置や押出終了位置）をセンサ等により検出することによって、当該押出部１３Ａ，１３Ｂの駆動制御やリフタ１５の上下動の駆動制御を行うこととしても同様の効果を奏することができるものである。このことは以下の態様においても同様である。
【００２９】
次に、図７に本発明の断裁用紙供給装置における他の用紙送りのフローチャートを示すと共に、図８に図７における用紙送りの動作説明図を示す。図７および図８は上記制御処理手段１６による用紙送りのためのリフタ１５（リフトモータ２７）の駆動制御を示したものである。
【００３０】
図７において、まず、用紙２８がセットされてリフタ１５を上昇させていき（Ｓ１１）、センサ１７において用紙２８が検知されると、当該センサ検知より設定時間（約１秒）でリフタ１５を上昇させる（Ｓ１２、図８（Ａ））。そこで、図８（Ｂ）に示すように、押出部１３Ａ，１３Ｂが量用紙（２８Ａ）を断裁装置（搬送手段１８）の供給口まで押し出して供給する。リフタ１５は、上記センサ１７による用紙２８の検知より設定時間（例えば押出部１３Ａ，１３Ｂの押し出し送り移動の時間として約２秒）後に、所定の設定時間（例えば約０．５秒）で下降される（Ｓ１３、図８（Ｃ））。そして、図８（Ｄ）に示すように、上記押出部１３Ａ，１３Ｂを、送り移動設定時間の後に、設定時間（例えば約２秒）で戻り移動させる。
【００３１】
そこで、リフタ１５を下降させたときからの設定時間（例えば約２秒）後に、設定時間（約１．５秒）分で上昇させることで用紙２８を押出台１４Ｂの面より所定の高さ（例えば約２０ｍｍ）とさせる（Ｓ１４、図８（Ｅ））。そして、用紙供給全部に応じた設定時間が終了するまで、上記Ｓ１３、Ｓ１４が繰り返され（Ｓ１５）、設定時間が終了した時点でリフタ１５を用紙セット位置まで下降させるものである（Ｓ１６）。
【００３２】
すなわち、図４および図５のような量用紙２８Ａの送り出しにおいては、当該送り出しの後に残りの用紙２８の最上部分で平面的なずれが発生して用紙押え部３１Ａ，３１Ｂの押さえが外れたあたりより送り出し中に崩れを生じる場合もあるが、１回分の量用紙（２８Ａ）を送り出した後にリフタ１５を一旦下降させることによって、押出台１４Ｂの面近傍に位置された用紙２８が規制側部１４Ａで一旦均されることとなり、安定した押し出しを行わせることができるものである。
【産業上の利用可能性】
【００３３】
本発明の断裁用紙供給装置は、主に工場等の製造現場で大量の用紙を断裁する既存の装置に組み込まれて使用される場合に適用されるものであるが、装置規模によってオフィスでの断裁装置に組み込まれて使用され、またパーソナル用としての断裁装置に組み込まれて使用される場合においても適用されるものである。
【図面の簡単な説明】
【００３４】
【図１】本発明に係る断裁用紙供給装置の構成図である。
【図２】図１における押出部の説明図である。
【図３】本願発明に係る断裁用紙供給装置おける用紙押え部の説明図である。
【図４】本発明の断裁用紙供給装置における用紙供給のフローチャートである。
【図５】本発明の断裁用紙供給装置における用紙供給の動作説明図である。
【図６】本発明の断裁用紙供給装置における用紙供給のジャミング時の動作説明図である。
【図７】本発明の断裁用紙供給装置における他の用紙送りのフローチャートである。
【図８】図７における用紙送りの動作説明図である。
【図９】従来の用紙断裁装置おける給紙供給装置の構成説明図である。
【符号の説明】
【００３５】
１１            断裁用紙供給装置
１２            用紙供給押出機構
１３            押出部
１４            用紙セット部
１５            リフタ
１６            制御処理部
１７            センサ
１８            搬送手段
１９            断裁機構
２８            用紙
２９            ジャミング部
３１            用紙押え部
【図１】
2005289530.tif 000003
【図２】
2005289530.tif 000004
【図３】
2005289530.tif 000005
【図４】
2005289530.tif 000006
【図５】
2005289530.tif 000007
【図６】
2005289530.tif 000008
【図７】
2005289530.tif 000009
【図８】
2005289530.tif 000010
【図９】
2005289530.tif 000011